(57)【要約】【課題】インピーダンスの整合及び通信特性を保持しつつ小型化が可能なアンテナ及び無線タグを提供する。【解決手段】ＩＣ回路部５４との給電部を有して線状の導体からミアンダ状に形成された給電ミアンダライン部７２と、ＩＣ回路部５４に対して給電部を有しない線状の導体からミアンダ状に形成され、給電ミアンダライン部７２の入力インピーダンスに影響を与える位置に併設された無給電ミアンダライン部７４とを、備えたものであることから、アンテナ５２が適用される装置を小型化する際の整合損失を可及的に抑えて感度や通信距離等の特性を低下させずに済むことに加え、給電ミアンダライン部７２及び無給電ミアンダライン部７４に延長部７２ｅ、７４ｅが設けられたものであることから、アンテナ全体の大きさを同程度としたまま電流密度の比較的高いミアンダライン部の総長を実質的に長くすることができるため、比較的低い共振周波数を実現することができる。【選択図】図４
2008211669.tif 000002
【特許請求の範囲】
【請求項１】
所定の回路部に接続されて無線により情報の送受信を行うためのアンテナであって、
前記回路部との接続部分を給電部とするミアンダ状に形成された線状の導体から全体として長手状に形成された給電ミアンダライン部と、
前記回路部に対して給電部を有しないミアンダ状に形成された線状の導体から全体として長手状に形成され、前記給電ミアンダライン部の入力インピーダンスに影響を与える位置に併設された無給電ミアンダライン部と
を、備え、
前記給電ミアンダライン部及び無給電ミアンダライン部は、それらの長手方向に関してそれぞれ相反する側の端部に前記導体の延長部が設けられたものであることを特徴とするアンテナ。
【請求項２】
前記給電ミアンダライン部及び無給電ミアンダライン部は、それぞれを構成する導体における前記無線による情報の送受信に際して電流密度が比較的高くなる側の端部に前記導体の延長部が設けられたものである請求項１のアンテナ。
【請求項３】
前記給電ミアンダライン部及び無給電ミアンダライン部それぞれに設けられた前記延長部は、互いに等しい長さ寸法である請求項１又は２のアンテナ。
【請求項４】
前記給電ミアンダライン部及び無給電ミアンダライン部は、それぞれ複数辺の幅方向導体部及び長手方向導体部が交互に接続されて蛇行を成すように形成されたものであり、それら給電ミアンダライン部及び無給電ミアンダライン部それぞれに設けられた前記延長部における前記幅方向導体部相互間の距離は、それ以外の部分における前記幅方向導体部相互間の距離よりも小さいものである請求項１から３の何れかのアンテナ。
【請求項５】
前記給電ミアンダライン部及び無給電ミアンダライン部は、それぞれを構成する導体における前記無線による情報の送受信に際して電流密度が比較的高くなる部分の少なくとも一部の幅寸法がそれ以外の部分よりも幅広く形成されたものである請求項１から４の何れかのアンテナ。
【請求項６】
前記無給電ミアンダライン部の延長部ではない部分における相互に近接する１対の幅方向導体部が、前記給電ミアンダライン部の延長部ではない部分における相互に近接する１対の幅方向導体部に挟まれた位置に配設された構成を少なくとも１箇所有するものである請求項４又は５のアンテナ。
【請求項７】
所定の無線タグ通信装置との間で無線にて情報の通信を行う無線タグであって、
所定の情報を記憶し得る記憶部を有するＩＣ回路部を前記回路部として備え、請求項１から６の何れかのアンテナを備えたものであることを特徴とする無線タグ。
【請求項８】
前記給電ミアンダライン部及び無給電ミアンダライン部は、絶縁材料から成るフィルム状部材における相反する側の平面部にそれぞれ固着されたものである請求項７の無線タグ。
【発明の詳細な説明】
【技術分野】
【０００１】
本発明は、非接触にて情報の書き込みや読み出しができる無線タグ等に好適に適用されるアンテナの改良に関する。
【背景技術】
【０００２】
所定の情報が記憶された小型の無線タグ（応答器）から所定の無線タグ通信装置（質問器）により非接触にて情報の読み出しを行うＲＦＩＤ（Radio Frequency Identification）システムが知られている。このＲＦＩＤシステムは、無線タグが汚れている場合や見えない位置に配置されている場合であっても無線タグ通信装置との通信によりその無線タグに記憶された情報を読み出すことが可能であることから、商品管理や検査工程等の様々な分野において実用が期待されている。
【０００３】
上記ＲＦＩＤシステムにおける基本的な課題の一つとして、上記無線タグの小型化が挙げられる。この無線タグの小型化では、無線による情報の送受信を行うためのアンテナの特性を保持しつつそのアンテナを可及的に狭小な面積に収めることが特に求められる。斯かるアンテナ構造の一例に、平面ミアンダライン構造がある。例えば、特許文献１に記載されたテレビジョン放送受信用の平面アンテナがそれである。この平面ミアンダライン構造によれば、線状の導体をミアンダ状（ジグザグ）に形成することで、長さ寸法等の特性はそのままにそのアンテナを可及的に狭小な面積に収めることができる。
【０００４】
【特許文献１】特開２００４−２２８７９７号公報
【発明の開示】
【発明が解決しようとする課題】
【０００５】
しかし、前記無線タグの小型化に関しては、その構成に起因する特有の問題があった。すなわち、前記無線タグを小型化することでアンテナの入力インピーダンスが低下し、前記アンテナに接続されるＩＣ回路部の入力インピーダンスとの不整合（ミスマッチ）が大きくなることから、感度や通信距離等の特性が低下することが考えられる。このため、インピーダンスの整合及び通信特性を保持しつつ小型化が可能なアンテナ及び無線タグの開発が求められていた。
【０００６】
本発明は、以上の事情を背景として為されたものであり、その目的とするところは、インピーダンスの整合及び通信特性を保持しつつ小型化が可能なアンテナ及び無線タグを提供することにある。
【課題を解決するための手段】
【０００７】
斯かる目的を達成するために、本第１発明の要旨とするところは、所定の回路部に接続されて無線により情報の送受信を行うためのアンテナであって、前記回路部との接続部分を給電部とするミアンダ状に形成された線状の導体から全体として長手状に形成された給電ミアンダライン部と、前記回路部に対して給電部を有しないミアンダ状に形成された線状の導体から全体として長手状に形成され、前記給電ミアンダライン部の入力インピーダンスに影響を与える位置に併設された無給電ミアンダライン部とを、備え、前記給電ミアンダライン部及び無給電ミアンダライン部は、それらの長手方向に関してそれぞれ相反する側の端部に前記導体の延長部が設けられたことを特徴とするものである。
【０００８】
また、前記目的を達成するために、本第２発明の要旨とするところは、所定の無線タグ通信装置との間で無線にて情報の通信を行う無線タグであって、所定の情報を記憶し得る記憶部を有するＩＣ回路部を前記回路部として備え、上記第１発明のアンテナを備えたことを特徴とするものである。
【発明の効果】
【０００９】
このように、前記第１発明によれば、前記回路部との接続部分を給電部とするミアンダ状に形成された線状の導体から全体として長手状に形成された給電ミアンダライン部と、前記回路部に対して給電部を有しないミアンダ状に形成された線状の導体から全体として長手状に形成され、前記給電ミアンダライン部の入力インピーダンスに影響を与える位置に併設された無給電ミアンダライン部とを、備えたものであることから、その無給電ミアンダライン部を好適な位置に配設することで前記給電ミアンダライン部の入力インピーダンスを前記回路部の入力インピーダンスに近づけることができ、前記アンテナが適用される装置を小型化する際の整合損失を可及的に抑えて感度や通信距離等の特性を低下させずに済むことに加え、前記給電ミアンダライン部及び無給電ミアンダライン部は、それらの長手方向に関してそれぞれ相反する側の端部に前記導体の延長部が設けられたものであることから、アンテナ全体の大きさを同程度としたまま電流密度の比較的高いミアンダライン部の総長を実質的に長くすることができるため、比較的低い共振周波数を実現することができる。すなわち、インピーダンスの整合及び通信特性を保持しつつ小型化が可能なアンテナを提供することができる。
【００１０】
ここで、前記第１発明において、好適には、前記給電ミアンダライン部及び無給電ミアンダライン部は、それぞれを構成する導体における前記無線による情報の送受信に際して電流密度が比較的高くなる側の端部に前記導体の延長部が設けられたものである。このようにすれば、無線通信に際して電流密度が比較的高くなるミアンダライン部の総長を実質的に長くすることで、比較的低い共振周波数を実現することができる。
【００１１】
また、好適には、前記給電ミアンダライン部及び無給電ミアンダライン部それぞれに設けられた前記延長部は、互いに等しい長さ寸法である。このようにすれば、実用的な態様で比較的低い共振周波数を実現することができる。
【００１２】
また、好適には、前記給電ミアンダライン部及び無給電ミアンダライン部は、それぞれ複数辺の幅方向導体部及び長手方向導体部が交互に接続されて蛇行を成すように形成されたものであり、それら給電ミアンダライン部及び無給電ミアンダライン部それぞれに設けられた前記延長部における前記幅方向導体部相互間の距離は、それ以外の部分における前記幅方向導体部相互間の距離よりも小さいものである。このようにすれば、アンテナの長手寸法を可及的に小さなものとすることができる。
【００１３】
また、好適には、前記給電ミアンダライン部及び無給電ミアンダライン部は、それぞれを構成する導体における前記無線による情報の送受信に際して電流密度が比較的高くなる部分の少なくとも一部の幅寸法がそれ以外の部分よりも幅広く形成されたものである。このようにすれば、電流密度の比較的高い部分での損失を低く抑えたまま、実用的な態様で比較的低い共振周波数を実現することができる。
【００１４】
また、好適には、前記無給電ミアンダライン部の延長部ではない部分における相互に近接する１対の幅方向導体部が、前記給電ミアンダライン部の延長部ではない部分における相互に近接する１対の幅方向導体部に挟まれた位置に配設された構成を少なくとも１箇所有するものである。このようにすれば、前記給電ミアンダライン部及び無給電ミアンダライン部が少なくとも１箇所入れ子状に設けられていることで、前記アンテナが適用される装置を小型化した際の感度や通信距離等の特性を保持できる。
【００１５】
また、前記第２発明によれば、所定の無線タグ通信装置との間で無線にて情報の通信を行う無線タグであって、所定の情報を記憶し得る記憶部を有するＩＣ回路部を前記回路部として備え、上記第１発明のアンテナを備えたものであることから、前記アンテナの無給電ミアンダライン部を好適な位置に配設することで前記給電ミアンダライン部の入力インピーダンスを前記回路部の入力インピーダンスに近づけることができ、装置を小型化する際の整合損失を可及的に抑えて感度や通信距離等の特性を低下させずに済むことに加え、前記給電ミアンダライン部及び無給電ミアンダライン部は、それらの長手方向に関してそれぞれ相反する側の端部に前記導体の延長部が設けられたものであることから、アンテナ全体の大きさを同程度としたまま電流密度の比較的高いミアンダライン部の総長を実質的に長くすることができるため、比較的低い共振周波数を実現することができる。すなわち、インピーダンスの整合及び通信特性を保持しつつ小型化が可能な無線タグを提供することができる。
【００１６】
ここで、前記第２発明において、好適には、前記給電ミアンダライン部及び無給電ミアンダライン部は、絶縁材料から成るフィルム状部材における相反する側の平面部にそれぞれ固着されたものである。このようにすれば、前記無給電ミアンダライン部を実用的な態様で前記給電ミアンダライン部の入力インピーダンスに影響を与える位置に設けることができる。
【００１７】
以下、本発明の好適な実施例を図面に基づいて詳細に説明する。
【実施例】
【００１８】
図１は、本第１発明の一実施例であるアンテナ５２を備えた無線タグ１２との間で情報の通信を行う無線タグ通信システム１０を例示する図である。この無線タグ通信システム１０は、本第２発明の一実施例である単数乃至は複数（図１では単数）の無線タグ１２と、その無線タグ１２との間で無線にて情報の通信を行うための無線タグ通信装置１４とから構成される所謂ＲＦＩＤ（Radio Frequency Identification）システムであり、上記無線タグ１２はそのＲＦＩＤシステムの応答器として、上記無線タグ通信装置１４は質問器としてそれぞれ機能する。すなわち、上記無線タグ通信装置１４から質問波Ｆc（送信信号）が上記無線タグ１２に向けて送信されると、その質問波Ｆｃを受信した上記無線タグ１２において所定の情報信号（データ）によりその質問波Ｆcが変調され、応答波Ｆr（返信信号）として上記無線タグ通信装置１４に向けて返信される。そして、その応答波Ｆrが上記無線タグ通信装置１４により受信されることで、上記無線タグ１２と無線タグ通信装置１４との間で非接触による情報の通信が行われ、その無線タグ１２に対する情報の読み出し及び／又は書き込みが実行される。
【００１９】
図２は、上記無線タグ通信装置１４の構成を例示する図である。この無線タグ通信装置１４は、上記無線タグ１２に対する情報の読み出し及び書き込みの少なくとも一方を実行するためにその無線タグ１２との間で情報の通信を行うものであり、図２に示すように、上記無線タグ１２との通信に係る送信データをディジタル信号として出力したり、その無線タグ１２からの返信信号を復号する等のディジタル信号処理を実行するＤＳＰ（Digital Signal Processor）１６と、上記質問波Ｆｃの搬送波に相当する所定の周波数信号を出力する搬送波出力部１８と、上記ＤＳＰ１６により出力された送信データをアナログ信号に変換する送信Ｄ／Ａ変換部２０と、その送信Ｄ／Ａ変換部２０によりアナログ信号に変換された送信データで上記搬送波出力部１８から出力される搬送波信号を変調（振幅変調）する送信ミキサ２２と、その送信ミキサ２２から出力される信号を増幅する送信アンプ２４と、その送信アンプ２４から出力される信号を質問波Ｆｃとして上記無線タグ１２に向けて送信すると共に、その質問波Ｆｃに応じて無線タグ１２から返信される応答波Ｆｒを受信する送受信アンテナ２６と、上記送信アンプ２４により増幅された信号を上記送受信アンテナ２６に供給すると共に、その送受信アンテナ２６により受信された受信信号を受信ミキサ３０に供給する送受信分離部２８と、上記送受信アンテナ２６により受信されてその送受信分離部２８を介して供給される受信信号と上記搬送波出力部１８から出力される搬送波信号とを乗算し、フィルタにより高周波成分を除去することによりホモダイン検波或いは直交検波する受信ミキサ３０と、その受信ミキサ３０から出力される信号を増幅する受信アンプ３２と、その受信アンプ３２からの出力をディジタル信号に変換して上記ＤＳＰ１６に供給する受信Ａ／Ｄ変換部３４とを、備えて構成されている。ここで、上記送受信分離部２８としては、サーキュレータ若しくは方向性結合器等が好適に用いられる。また、必要に応じて、上記送受分離部２８と受信ミキサ３０の間に受信信号を増幅する低雑音増幅器等を設けてもよい。
【００２０】
上記ＤＳＰ１６は、ＣＰＵ、ＲＯＭ、及びＲＡＭ等を備え、ＲＡＭの一時記憶機能を利用しつつＲＯＭに予め記憶されたプログラムに従って信号処理を行う所謂マイクロコンピュータシステムであり、上記送信Ｄ／Ａ変換部２０及び受信Ａ／Ｄ変換部３４のサンプリング周波数を出力させるサンプリング周波数出力部３６と、前記無線タグ１２との通信に係る送信データに対応するコマンドビット列を生成する送信ビット列生成部３８と、その送信ビット列生成部３８から出力されたディジタル信号をパルス幅変調方式等により符号化して上記送信Ｄ／Ａ変換部２０へ供給する符号化部４０と、上記受信Ａ／Ｄ変換部３４から供給される信号（復調波）をＦＭ方式等により復号する復号部４２と、その復号部４２により復号された復号信号を解釈して前記無線タグ１２の変調に関する情報信号を読み出す返答ビット列解釈部４４とを、機能的に備えている。
【００２１】
図３は、前記無線タグ１２に備えられた無線タグ回路素子５０の構成を説明する図である。この図３に示すように、斯かる無線タグ回路素子５０は、本第１発明の一実施例であるアンテナ５２と、そのアンテナ５２に接続された回路部であり、前記無線タグ通信装置１４から送信されて上記アンテナ５２により受信された信号を処理するためのＩＣ回路部５４とを、備えて構成されている。そのＩＣ回路部５４は、上記アンテナ５２により受信された前記無線タグ通信装置１４からの質問波Ｆｃを整流する整流部５６と、その整流部５６により整流された質問波Ｆｃのエネルギを蓄積するための電源部５８と、上記アンテナ５２により受信された搬送波からクロック信号を抽出して制御部６６に供給するクロック抽出部６０と、所定の情報信号を記憶し得る記憶部として機能するメモリ部６２と、上記アンテナ５２に接続されて信号の変調及び復調を行う変復調部６４と、上記整流部５６、クロック抽出部６０、及び変復調部６４等を介して上記無線タグ回路素子５０の作動を制御するための制御部６６とを、機能的に含んでいる。この制御部６６は、前記無線タグ通信装置１４と通信を行うことにより上記メモリ部６２に上記所定の情報を記憶する制御や、上記アンテナ５２により受信された質問波Ｆｃを上記変復調部６４において上記メモリ部６２に記憶された情報信号に基づいて変調したうえで応答波Ｆｒとして上記アンテナ５２から反射返信する制御等の基本的な制御を実行する。
【００２２】
図４は、前記無線タグ１２の外観を説明する平面図である。また、図５は、図４のV-V視断面図であり、図６は、図４のVI-VI視断面図である。これらの図に示すように、前記無線タグ１２において、前記アンテナ５２及びＩＣ回路部５４は、ＰＥＴ（ポリエチレンテレフタラート）等から成るフィルム状の基材６８の表面に固設されている。また、前記アンテナ５２及びＩＣ回路部５４を保護するために、ＰＥＴ等から成る保護層７０が上記基材６８の表面にそれらアンテナ５２及びＩＣ回路部５４を覆うように設けられている。ここで、前記アンテナ５２は、前記ＩＣ回路部５４との接続部分を給電部ＥＳとするミアンダ（meander）状且つ長手状に形成された線状の導体から成る給電ミアンダライン部７２と、前記ＩＣ回路部５４に対して給電部を有しないミアンダ状に形成された線状の導体から成り、上記給電ミアンダライン部７２の入力インピーダンスに影響を与える位置、例えばその給電ミアンダライン部７２に所定の間隔を隔てて併行する位置に配設された無給電ミアンダライン部７４とから成る。ここで、ミアンダ状とは、複数のＳ字型をつなぎ合わせた形で長手方向に連続する形状であり、蛇行状と同義である。なお、Ｓ字型は角が角張っていたり、斜めに面取りされているような形状でもよい。また、上記無給電ミアンダライン部７４は、好適には、上記給電ミアンダライン部７２と絶縁されたものである。
【００２３】
図７に示すように、上記給電ミアンダライン部７２及び無給電ミアンダライン部７４は、銅、アルミニウム、銀等の導電性材料による細線パターン（一般には幅０．１〜３．０ｍｍ、厚み１〜１００μｍ程度、本実施例では幅１．０ｍｍ、厚み１６μｍ程度）が前記基材６８の表面に金属箔、薄膜、或いは印刷（銀又は銅ペースト）等の技術により形成されたものであり、そのように形成された表面に更に上記保護層７０が設けられることで、図５及び図６に示すような構成とされている。また、本実施例では説明を省略するが、図４乃至図６のように構成された無線タグ１２において、好適には、上記保護層７０の表面にその無線タグ１２の種別や記憶内容等を示す印字が形成されると共に、上記基材６８の裏面には粘着層が設けられ、前記無線タグ１２の管理対象となる物品等への貼付が可能とされる。
【００２４】
図８は、上記給電ミアンダライン部７２の構成を、図９は、上記無給電ミアンダライン部７４の構成を、それぞれ詳しく説明する図である。この図８に示すように、上記給電ミアンダライン部７２は、前記アンテナ５２の幅方向（図４に示すｙ方向）に直線状を成すように設けられた複数辺の幅方向導体部７６及び前記アンテナ５２の長手方向（図４に示すｘ方向）に直線状を成すように設けられた複数辺の長手方向導体部７８が交互に接続されて蛇行を成すように形成されたものである。ここで、前記ＩＣ回路部５４は、それら複数辺の幅方向導体部７６のうち何れか（好適にはアンテナ５２の中央付近）の幅方向導体部７６において上記給電ミアンダライン部７２に接続されている。また、図９に示すように、上記無給電ミアンダライン部７４は、複数辺の幅方向導体部８０及びそれぞれ長さ寸法の異なる２種類の長手方向導体部８２、８４が交互に接続されて蛇行を成すように形成されたものである。すなわち、前記無給電ミアンダライン部７４では、１辺の幅方向導体部８０とその１辺の幅方向導体部８０に隣接する２辺の幅方向導体部８０それぞれとの間の間隔の比すなわち図９に示す距離の比ａ：ｂが例えば１：２．６（＝５：１３）となるように構成されている。このように、直線状の導体部が幅方向及び長手方向に交互に接続されて蛇行を成すように形成されることで、上記給電ミアンダライン部７２及び無給電ミアンダライン部７４は、それぞれ所定のミアンダパターン（単位パターン）８６、８８が周期的に繰り返される構成とされている。なお、これらのミアンダパターン８６及び８８における前記アンテナ５２の長手方向に関する寸法は等しく、上記給電ミアンダライン部７２及び無給電ミアンダライン部７４は、それぞれ単位パターンが等しい周期で繰り返される構成とされている。また、前記給電ミアンダライン部７２及び無給電ミアンダライン部７４には、それらの長手方向に関してそれぞれ相反する側の端部に前記導体の延長部７２ｅ及び７４ｅが設けられている。これら延長部７２ｅ及び７４ｅについては、図１１及び図１２等を用いて後述する。
【００２５】
図１０は、前記アンテナ５２の構成を詳しく説明する図である。この図１０に示すように、前記アンテナ５２は、例えば、長手方向寸法Ｌａ＝６７ｍｍ程度、幅方向寸法Ｌｂ＝１８．５ｍｍ程度の寸法を備えて構成されている。すなわち、前記給電ミアンダライン部７２及び無給電ミアンダライン部７４それぞれにおける長手方向導体部７８、８２、８４の長さ寸法の総和は、それぞれにおける幅方向導体部７６、８０の長さ寸法よりも大きい。また、前記給電ミアンダライン部７２及び無給電ミアンダライン部７４の相互間隔は、図面上側における前記長手方向導体７８、８２の相互間隔や幅方向導体部７６、８０の比較的狭い方の相互間隔すなわち最近接部分では絶縁を保証する範囲内における可及的に小さな間隔０．５ｍｍ程度とされている。また、前記給電ミアンダライン部７２及び無給電ミアンダライン部７４それぞれの全長（導電経路長）は互いに異なるものであり、上記給電ミアンダライン部７２の全長（総長）は３０６ｍｍ程度、無給電ミアンダライン部７４の全長は３１５ｍｍ程度とされている。これら給電ミアンダライン部７２及び無給電ミアンダライン部７４それぞれの導電経路長は、前記無線タグ回路素子５０との間で情報の通信を行うために用いられる電磁波すなわち前記質問波Ｆｃの搬送波の波長の１／２以上とされるのが好ましい。
【００２６】
前述したように、前記無給電ミアンダライン部７４では、１辺の幅方向導体部８０とその１辺の幅方向導体部８０に隣接する２辺の幅方向導体部８０それぞれとの間の間隔ａ、ｂが異なるように構成されている。一方、前記給電ミアンダライン部７２では、１辺の幅方向導体部７６とその１辺の幅方向導体部７６に隣接する２辺の幅方向導体部７６それぞれとの間の間隔は等しいことから、前記給電ミアンダライン部７２におけるミアンダパターン８６と、前記無給電ミアンダライン部７４におけるミアンダパターン８８とは、それぞれに含まれる任意の１周期以上のパターンをその長手方向に相互に異なる割合で拡大乃至は縮小しても形状が一致しない。このような形状とされることで、前記給電ミアンダライン部７２及び無給電ミアンダライン部７４は、例えば図１０に示すように、相互に絶縁された状態で同一の平面上に可及的小さな占有面積にて配置されている。
【００２７】
また、図１０に示すように、前記給電ミアンダライン部７２及び無給電ミアンダライン部７４は、前記無給電ミアンダライン部７４における相互に近接する１対の幅方向導体部８０の中心間隔から幅方向導体部８０の幅寸法を引いた差が、前記給電ミアンダライン部７２における相互に近接する１対の幅方向導体部７６の中心間隔とそれら幅方向導体部７６の幅寸法の和よりも大きくなる第１部分９０と前記無給電ミアンダライン部７４における相互に近接する１対の幅方向導体部８０の中心間隔とそれら幅方向導体部８０の幅寸法の和が、前記給電ミアンダライン部７２における相互に近接する１対の幅方向導体部７６の中心間隔から幅方向導体部７６の幅寸法を引いた差よりも小さくなる第２部分９２とが等しい周期で交互に配設されたものである。ここで、上記中心間隔とは、導体部の中心線の間隔である。換言すれば、前記無給電ミアンダライン部７４における相互に近接する１対の幅方向導体部８０が、前記給電ミアンダライン部７２における相互に近接する１対の幅方向導体部７６に挟まれた位置に配設された構成を複数箇所（図１０では６箇所）有し、逆に前記給電ミアンダライン部７２における相互に近接する１対の幅方向導体部７６が、前記無給電ミアンダライン部７４における相互に近接する１対の幅方向導体部８０に挟まれた位置に配設された構成を複数箇所（図１０では６箇所）有するものである。すなわち、前記アンテナ５２では、前記給電ミアンダライン部７２及び無給電ミアンダライン部７４が全体に渡り連続して互いに入れ子状に配設されている。また、換言すれば、前記無給電ミアンダライン部７４における相互に近接する１対の幅方向導体部８０が、何れも前記給電ミアンダライン部７２における相互に近接する１対の幅方向導体部７６に挟まれた位置にそれぞれ配設されたものであり、逆に前記給電ミアンダライン部７２における相互に近接する１対の幅方向導体部７６が、何れも前記無給電ミアンダライン部７４における相互に近接する１対の幅方向導体部８０に挟まれた位置にそれぞれ配設されたものであるとも言える。
【００２８】
図１１は、対比のために前記延長部７２ｅ及び７４ｅを有しない給電ミアンダライン部９６及び無給電ミアンダライン部９８から成るアンテナ９４を例示すると共に、その使用時における電流密度分布を説明する図である。図１１に示すように、このアンテナ９４は、前記ＩＣ回路部５４との接続部分を給電部とするミアンダ状に形成された線状の導体から全体として長手状に形成された給電ミアンダライン部９６と、前記ＩＣ回路部５４に対して給電部を有しないミアンダ状に形成された線状の導体から全体として長手状に形成され、前記給電ミアンダライン部９６の入力インピーダンスに影響を与える位置に併設された無給電ミアンダライン部９８とを、備えて構成されている。このアンテナ９４の構成は、前記延長部７２ｅ及び７４ｅが設けられていないこと（及び後述するようにそれら延長部７２ｅ及び７４ｅに対応する欠落部７２ｌ及び７４ｌが欠落させられていないこと）の他は本実施例のアンテナ５２と実質的に同一である。斯かる給電ミアンダライン部９６は、前記ＩＣ回路部５４に関して略対称的に設けられている。すなわち、上記給電ミアンダライン部９６は前記ＩＣ回路部５４を略中心として点対称（１８０°回転対称）に、上記無給電ミアンダライン部９８は前記ＩＣ回路部５４下側の長手方向導体の中央を略中心としてその長手方向に線対称に設けられている。斯かる構成のアンテナ９４では、そのアンテナ９４による通信に際して電流密度分布に偏りが発生し、電流密度が密となる部分と疎となる部分とが生じる。図１１の白抜矢印は、斯かる電流密度分布の疎密を示しており、上方の矢印は上記給電ミアンダライン部９６の電流密度を、下方の矢印は上記無給電ミアンダライン部９８の電流密度をそれぞれ示している。また、矢印が大きい部分は通信に際して電流密度が密となる部分を、矢印が小さい部分は通信に際して電流密度が疎となる部分をそれぞれ表している。
【００２９】
前述したように、本実施例のアンテナ５２では、前記給電ミアンダライン部７２及び無給電ミアンダライン部７４の長手方向に関してそれぞれ相反する側の端部に前記導体の延長部７２ｅ及び７４ｅが設けられている。この延長部７２ｅ及び７４ｅは、好適には、それぞれを構成する導体における前記無線による情報の送受信に際して電流密度が比較的高くなる側の端部に設けられたものである。すなわち、図１１に大きな矢印で示す、前記給電ミアンダライン部７２及び無給電ミアンダライン部７４それぞれにおける電流密度が密となる側の端部から例えば導線全体の長さ寸法に対して５〜１６％程度の所定の長さ寸法の導線が延長して設けられている（後述の図１３を参考にすると、５％以下だと共振周波数ｆｓ２の低下が小さく、１６％を超えるとｆｓ２とｆｐ１とが近づき、ｆｓ２近傍の入力インピーダンスの変化が大きくなり安定したインピーダンス整合が得にくくなる）。また、図１１及び図１２に比較して示すように、前記延長部７２ｅ及び７４ｅが設けられていない側の端部から、それら延長部７２ｅ及び７４ｅと同じ長さ寸法の導線（便宜的に欠落部７２ｌ及び７４ｌと称する）が欠落させられ、導線の総長すなわち全体の長さ寸法は本実施例の給電ミアンダライン部７２と上記給電ミアンダライン部９６とで等しく、また、本実施例の無給電ミアンダライン部７４と上記無給電ミアンダライン部９８とで等しくなっている。換言すれば、本実施例のアンテナ５２は、図１１に示すように前記ＩＣ回路部５４に関して略対称的に構成されたアンテナ９４から上記欠落部７２ｌ及び７４ｌを欠落させると共に、それら欠落部７２ｌ及び７４ｌと略同じ長さ寸法（ずらし量）の導線を電流密度が比較的高くなる側の端部に延長部７２ｅ及び７４ｅとしてその分だけずらすように設けたものである。ここで、好適には、前記給電ミアンダライン部７２及び無給電ミアンダライン部７４それぞれに設けられた前記延長部７２ｅ、７４ｅは、互いに等しい長さ寸法である。また、図１２等に示すように、前記給電ミアンダライン部７２及び無給電ミアンダライン部７４それぞれに設けられた前記延長部７２ｅ、７４ｅにおける前記幅方向導体部７６、８０相互間の距離は、それ以外の部分における前記幅方向導体部７６、８０相互間の距離よりも小さいものである。
【００３０】
図１３は、前記アンテナ５２の入力インピーダンスについて説明する図であり、入力インピーダンスの虚数部すなわちアドミタンスを示す曲線を実線で、抵抗（放射抵抗）に対応する曲線を破線でそれぞれ示している。入力インピーダンスのアドミタンス（虚数部）が零となる周波数を共振周波数と定義すると、図１３に示すように、周波数を変数として直列共振周波数を示す曲線と並列共振周波数を示す曲線（縦軸に略平行な線）とが交互に現れる。前記無線タグ回路素子５０による通信に使用される周波数は、例えば８００乃至９５０ＭＨｚ程度であり、斯かる周波数帯域において上記並列共振周波数の虚数部が零となる周波数では抵抗成分が略無限大となり不適である。そこで、直列共振周波数を示す曲線について考えると、最も低い第１共振周波数を示す曲線Ｘ１の虚数部が零となる周波数ｆｓ１付近において、それに対応する抵抗を示す曲線Ｒは略零の値をとりアンテナとして動作しない。次に、２番目に低い第２共振周波数を示す曲線Ｘ２の虚数部が零となる周波数ｆｓ２付近において、それに対応する抵抗を示す曲線Ｒは５０Ω程度の値をとりアンテナとして機能するために十分な入力インピーダンスが得られる。このように、本実施例のアンテナ５２は、入力インピーダンスの虚数成分が零となる複数の共振周波数（直列共振周波数）を有し、それら複数の共振周波数のうち２番目に低い第２共振周波数以上の共振周波数により動作させられることにより、前記無線タグ回路素子５０のアンテナとして好適に機能する。
【００３１】
図１４は、前記アンテナ５２に設けられた前記延長部７２ｅ及び７４ｅの長さ寸法に応じた第２共振周波数ｆｓ２の変化を例示するグラフである。この図１４に示すように、上述したアンテナ５２の第２共振周波数ｆｓ２は、ずらし量すなわち前記アンテナ５２に設けられた前記延長部７２ｅ及び７４ｅ（欠落部７２ｌ及び７４ｌ）の長さ寸法に応じて変化し、そのずらし量を大きくとるほど第２共振周波数ｆｓ２は低下する。このように、第２共振周波数ｆｓ２が低下することで、逆に所定の周波数を通信に用いることを考えた場合、前記給電ミアンダライン部７２及び無給電ミアンダライン部７４それぞれの総長、延いては前記アンテナ５２の大きさ（長手方向或いは幅方向の長さ寸法）を可及的に小さく抑えることができる。
【００３２】
続いて、前記無線タグ通信装置１４による前記無線タグ１２との間の情報の通信について詳述する。図１５は、前記無線タグ回路素子５０との通信に用いられるコマンドを例示する図である。この図１５に示すように、前記無線タグ回路素子５０との通信では、複数種類のコマンドのうち目的により所定のコマンドが用いられ、例えば通信対象となる前記無線タグ回路素子５０を特定する通信では、その無線タグ回路素子５０に記憶された情報を読み出すための「PING」及び「SCROLL ID」等のコマンドが用いられる。また、前記無線タグ回路素子５０に情報を書き込むための通信では、その無線タグ回路素子５０に記憶された情報を初期化するための「ERASE ID」、情報を書き込むための「PROGRAM ID」、書き込まれた情報を確認するための「VERIFY」、新たな情報の書き込みを禁止するための「LOCK」等のコマンドが用いられる。
【００３３】
図１６は、前記無線タグ通信装置１４にて作成されるコマンドフレーム構造を詳しく説明する図である。このコマンドフレームは、Ｔ0を１ビットの情報を送信するための時間として、２Ｔ0の送信パワーオフである「GAP」、５Ｔ0の送信パワーオンである「PREAMBL」、２０箇の０信号を送信してクロック同期を行う「CLKSYNC」、コマンドの内容である「COMMAND」、８Ｔ0の送信パワーオンである「SET UP」、及び１箇の１信号を送信する「SYNC」から成る。前記無線タグ回路素子５０により解釈される部分である「COMMAND」は、コマンドの開始を示す「SOF」、図１５に示す個々のコマンド「CMD」、書き込み対象となる無線タグ回路素子５０のメモリ位置を指定するポインタである「PTR」、情報の長さを示す「LEN」、送信する情報の内容である「VAL」、上記「PTR」、「LEN」、及び「VAL」のパリティ情報である「P」、及びコマンドの終了を示す「EOF」から成る。
【００３４】
前記コマンドフレームは、図１７に示す０信号、１信号、及び所定時間の連続した送信パワーオン・オフを要素として構成される。情報の書き込み対象となる前記無線タグ回路素子５０の特定動作や、情報の書き込み動作では、このコマンドフレームに基づく変調情報である信号が前記無線タグ通信装置１４の送信ビット列生成部３８により生成され、前記符号化部４０による符号化及び送信アンプ２４による変調が行われた後、前記送受信アンテナ２６から前記無線タグ１２に向けて送信される。その信号が対象である無線タグ回路素子５０により受信されると、前記制御部６６によりコマンドに対応する前記メモリ部６２への情報の書き込みや、情報の返信動作等が行われる。
【００３５】
前記無線タグ回路素子５０による情報の返信動作において、以下に詳細に説明するリプライ情報は、図１８に示す０信号及び１信号を要素とする符号化された一連の信号として構成され、その信号に基づいて搬送波が反射変調されて前記無線タグ通信装置１４へ返信される。例えば、情報の書き込み対象となる前記無線タグ回路素子５０の特定動作では、図１９に示すようなその無線タグ回路素子５０に固有のＩＤを示す信号により変調された反射波が返信される。
【００３６】
図２０は、前記無線タグ回路素子５０のメモリ構成を示す図である。この図２０に示すように、前記無線タグ回路素子５０のメモリ部６２には、前述したＣＲＣ符号の計算結果、その無線タグ回路素子５０に固有のＩＤ、及び「LOCK」コマンド等に用いられるパスワードが予め記憶されている。上記リプライ情報は、これらの情報に基づいて作成されるものであり、例えば、図２１に示すように、「SCROLL ID」コマンドを含む信号が受信された場合には、０ｘＦＥで表される８ビットの「PREAMBLE」信号と、前記メモリ部６２に記憶されたＣＲＣ符号の計算結果である「CRC」、及びその無線タグ回路素子５０のＩＤを示す「ID」から成るリプライ信号が作成される。
【００３７】
前述した図１５の「PING」コマンドは、複数の前記無線タグ回路素子５０に対して各無線タグ回路素子５０のメモリ部６２に記憶された情報に対応して、図２０に示すメモリ上の位置を指定して応答させるためのコマンドであり、図２２に示すように、開始アドレスポインタ「PTR」、データ長「LEN」、及び値「VAL」の情報を含む。例えば、図２３に示すように、前記メモリ部６２に記憶された情報のうち「PTR」番目から後ろ「LEN」個のデータが「VAL」と等しい場合、「PTR+LEN+1」番目以降８ビットのデータがリプライ信号となる。前記メモリ部６２に記憶された情報のうち「PTR」番目から後ろ「LEN」個のデータが「VAL」と等しくない場合には、返信対象となっていないためリプライ信号は生成されない。
【００３８】
また、前記無線タグ回路素子５０の「PING」コマンドに対する返信タイミングは、リプライ信号の上位３ビットによって決まり、前記無線タグ通信装置１４から「PING」に続けて送られるＢＩＮパルスによって区分される「bin0」乃至「bin7」のうち何れかの区間でリプライ信号が返される。例えば、図２３（ａ）に示すように、「PING」コマンドとして「PTR=0」、「LEN=1」、「VAL=0」が送られてきた場合、前記メモリ部６２に記憶された情報のうち１ビット目が「VAL」と一致する「0」である無線タグ回路素子５０では、図２３（ｂ）に示すような信号が抽出されてリプライ信号に組み込まれ、そのリプライ信号の上位３ビットが「011」であれば、図２４に示す「PING」コマンドに対するリプライの中の区間「bin3」においてそのリプライ信号が返信される。
【００３９】
「PING」コマンドに対するリプライは、前記無線タグ通信装置１４の通信範囲内に存在する通信可能な無線タグ回路素子５０の数によって以下のように異なったものとなる。すなわち、前記無線タグ通信装置１４の通信範囲内に通信可能な無線タグ回路素子５０が存在しない場合には、図２４の「CASE1」に示すように、いかなるリプライ信号も返信されない。通信範囲内に通信可能な１つの無線タグ回路素子５０が存在する場合には、図２４の「CASE2」に示すように、例えば、「bin3」の区間において「ID1」を示すリプライ信号が返信される。通信範囲内に返信可能な２つの無線タグ回路素子５０が存在する場合には、図２５の「CASE3」に示すように、例えば、「bin0」の区間において「ID1」を示すリプライ信号が返信されると共に、「bin2」の区間において「ID2」を示す信号が返信される。また、リプライ信号の上位３ビットが等しい場合には、図２５の「CASE4」に示すように、例えば、「bin2」の区間において「ID1」及び「ID2」を示す信号が重なって返信される場合もある。「PTR」、「LEN」、及び「VAL」の値を変化させつつこの「PING」コマンドを繰り返すことで、前記無線タグ通信装置１４の通信範囲内に存在する返信可能な無線タグ回路素子５０の個数及び各無線タグ回路素子５０のＩＤを知ることができ、そのＩＤを用いて書き込み対象となる無線タグ回路素子５０へ情報を書き込むことができる。
【００４０】
このように、本実施例によれば、前記ＩＣ回路部５４との接続部分を給電部ＥＳとするミアンダ状に形成された線状の導体から全体として長手状に形成された給電ミアンダライン部７２と、前記ＩＣ回路部５４に対して給電部を有しないミアンダ状に形成された線状の導体から全体として長手状に形成され、前記給電ミアンダライン部７２の入力インピーダンスに影響を与える位置に併設された無給電ミアンダライン部７４とを、備えたものであることから、その無給電ミアンダライン部７４を好適な位置に配設することで前記給電ミアンダライン部７２の入力インピーダンスを前記ＩＣ回路部５４の入力インピーダンスに近づけることができ、前記アンテナ５２が適用される装置を小型化する際の整合損失を可及的に抑えて感度や通信距離等の特性を低下させずに済むことに加え、前記給電ミアンダライン部７２及び無給電ミアンダライン部７４は、それらの長手方向に関してそれぞれ相反する側の端部に前記導体の延長部７２ｅ、７４ｅが設けられたものであることから、アンテナ全体の大きさを同程度としたまま電流密度の比較的高いミアンダライン部の総長を実質的に長くすることができるため、比較的低い共振周波数を実現することができる。すなわち、インピーダンスの整合及び通信特性を保持しつつ小型化が可能なアンテナ５２を提供することができる。
【００４１】
また、前記給電ミアンダライン部７２及び無給電ミアンダライン部７４は、それぞれを構成する導体における前記無線による情報の送受信に際して電流密度が比較的高くなる側の端部に前記導体の延長部７２ｅ及び７４ｅが設けられたものであるため、無線通信に際して電流密度が比較的高くなるミアンダライン部の総長を実質的に長くすることで、比較的低い共振周波数を実現することができる。
【００４２】
また、前記給電ミアンダライン部７２及び無給電ミアンダライン部７４それぞれに設けられた前記延長部７２ｅ及び７４ｅは、互いに等しい長さ寸法であるため、実用的な態様で比較的低い共振周波数を実現することができる。
【００４３】
また、前記給電ミアンダライン部７２及び無給電ミアンダライン部７４は、それぞれ複数辺の幅方向導体部７６、８０及び長手方向導体部７８、８２、８４が交互に接続されて蛇行を成すように形成されたものであり、それら給電ミアンダライン部７２及び無給電ミアンダライン部７４それぞれに設けられた前記延長部７２ｅ及び７４ｅにおける前記幅方向導体部７６、８０相互間の距離は、それ以外の部分における前記幅方向導体部７６、８０相互間の距離よりも小さいものであるため、アンテナ５２の長手寸法を可及的に小さなものとすることができる。
【００４４】
また、前記無給電ミアンダライン部７４の延長部７４ｅではない部分における相互に近接する１対の幅方向導体部８０が、前記給電ミアンダライン部７２の延長部７２ｅではない部分における相互に近接する１対の幅方向導体部７６に挟まれた位置に配設された構成を複数箇所有するものであるため、前記給電ミアンダライン部７２及び無給電ミアンダライン部７４が複数箇所入れ子状に設けられていることで、前記アンテナ５２が適用される装置を小型化した際の感度や通信距離等の特性を保持できる。
【００４５】
また、所定の無線タグ通信装置１４との間で無線にて情報の通信を行う無線タグ１２であって、所定の情報を記憶し得る記憶部を有するＩＣ回路部５４を備えると共に、前記アンテナ５２を備えたものであることから、そのアンテナ５２の無給電ミアンダライン部７４を好適な位置に配設することで前記給電ミアンダライン部７２の入力インピーダンスを前記ＩＣ回路部５４の入力インピーダンスに近づけることができ、装置を小型化する際の整合損失を可及的に抑えて感度や通信距離等の特性を低下させずに済むことに加え、前記給電ミアンダライン部７２及び無給電ミアンダライン部７４は、それらの長手方向に関してそれぞれ相反する側の端部に前記導体の延長部７２ｅ及び７４ｅが設けられたものであることから、アンテナ全体の大きさを同程度としたまま電流密度の比較的高いミアンダライン部の総長を実質的に長くすることができるため、比較的低い共振周波数を実現することができる。すなわち、インピーダンスの整合及び通信特性を保持しつつ小型化が可能な無線タグ１２を提供することができる。
【００４６】
続いて、本発明の他の好適な実施例を図面に基づいて詳細に説明する。なお、以下の説明において、実施例相互に共通する部分については同一の符号を付してその説明を省略する。
【００４７】
図２６は、本第１発明の他の実施例であるアンテナ１００の構成を説明する平面図である。この図２６に示すアンテナ１００は、前述したアンテナ５２の給電ミアンダライン部７２及び無給電ミアンダライン部７４に備えられていた延長部７２ｅ及び７４ｅよりも寸法の長い延長部７２ｅ′及び７４ｅ′を備えたものであり、前記アンテナ５２と同様に、それら延長部７２ｅ′及び７４ｅ′に対応する長さ寸法だけ反対側の端部が欠落させられている。また、図２７は、斯かるアンテナ１００の給電ミアンダライン部７２及び無給電ミアンダライン部７４に備えられた延長部７２ｅ′及び７４ｅ′よりも更に寸法の長い延長部７２ｅ″及び７４ｅ″を備えたアンテナ１０２を例示する図である。このように、前記給電ミアンダライン部７２及び無給電ミアンダライン部７４に設けられる延長部の長さ寸法はアンテナの寸法や通信に用いられる周波数に応じて適宜定められる。
【００４８】
図２８は、本第２発明の他の実施例である無線タグ１０４の構成を説明する平面図であり、図２９は、図２８のXXIX-XXIX視断面図である。これらの図に示すように、本実施例の無線タグ１０４に備えられたアンテナ１０６は、前記給電ミアンダライン部７２及び無給電ミアンダライン部７４（図２７に示す延長部７２ｅ″及び７４ｅ″が設けられたものを例示している）が絶縁材料から成るフィルム状部材である基材６８における相反する側の平面部にそれぞれ固着されて構成されている。斯かる構成によっても、前記無給電ミアンダライン部７４を実用的な態様で前記給電ミアンダライン部７２の入力インピーダンスに影響を与える位置に設けることができる。
【００４９】
図３０は、本第２発明の更に別の実施例である無線タグ１０８の構成を説明する平面図である。この図３０に示すように、本実施例の無線タグ１０８に備えられたアンテナ１１０における給電ミアンダライン部７２及び無給電ミアンダライン部７４（図２６に示す延長部７２ｅ′及び７４ｅ′が設けられたものを例示している）には、それらを構成する導体の一部の幅寸法がそれ以外の部分よりも幅広く形成された幅広部７２ｂ及び７４ｂが設けられている。斯かる幅広部７２ｂ及び７４ｂは、好適には、前記無線による情報の送受信に際して電流密度が比較的高くなる部分に設けられたものであり、斯かる構成によれば、前記給電ミアンダライン部７２及び無給電ミアンダライン部７４をそれぞれを構成する導体における前記無線による情報の送受信に際して電流密度が比較的高くなる部分の少なくとも一部の幅寸法がそれ以外の部分よりも幅広く形成されたものであるため、電流密度の比較的高い部分での損失を低く抑えたまま、実用的な態様で比較的低い共振周波数を実現することができる。
【００５０】
以上、本発明の好適な実施例を図面に基づいて詳細に説明したが、本発明はこれに限定されるものではなく、更に別の態様においても実施される。
【００５１】
例えば、前述の実施例では、前記給電ミアンダライン部７２及び無給電ミアンダライン部７４が全体に渡り連続して互いに入れ子状に配設されたアンテナ５２等について説明したが、本発明はこれに限定されるものではなく、これら給電ミアンダライン部７２及び無給電ミアンダライン部７４は少なくとも一部において入れ子状に配設されていれば相互のインピーダンスに影響を及ぼし合うため、必ずしも全体に渡り入れ子状に構成されていなくともよい。また、前記無給電ミアンダライン部７４が給電ミアンダライン部７２の入力インピーダンスに影響を与える位置に配設されていればよいことから、図２８に示す実施例のように、必ずしも入れ子状に配設されていなくともよく、設計に応じて種々の相対位置関係が適宜選択されて適用される。
【００５２】
また、前述の実施例では、それぞれ所定のミアンダパターン（単位パターン）が周期的に繰り返される構成とされた給電ミアンダライン部及び無給電ミアンダライン部から成るアンテナ５２等について説明したが、例えば、その長手方向に関する給電ミアンダライン部及び無給電ミアンダライン部自体の間隔やその相互間の間隔が前記ＩＣ回路部５４から離れるにつれて狭まる態様や、前記給電ミアンダライン部及び無給電ミアンダライン部を構成する幅方向導体部の長さ寸法が長くなっていく態様等も考えられる。このような態様においても、インピーダンスの整合及び通信特性を保持しつつ小型化が可能なアンテナを提供することができる。
【００５３】
また、前述の実施例では、前記無線タグ通信装置１４から送信される質問波Ｆcからエネルギを得る内的な電力供給源を含まない所謂パッシブタグ（passive tag）について説明したが、内的な電力供給源を含む所謂アクティブタグ（active tag）にも本発明は好適に適用されるものである。
【００５４】
その他、一々例示はしないが、本発明はその趣旨を逸脱しない範囲内において種々の変更が加えられて実施されるものである。
【図面の簡単な説明】
【００５５】
【図１】本発明のアンテナが適用された無線タグとの間で情報の通信を行う無線タグ通信システムを例示する図である。
【図２】図１の無線タグ通信システムを構成する無線タグ通信装置の構成を説明する図である。
【図３】本第２発明の一実施例である無線タグに備えられた無線タグ回路素子の構成を説明する図である。
【図４】図３の無線タグの外観を説明する平面図である。
【図５】図４のV-V視断面図である。
【図６】図４のVI-VI視断面図である。
【図７】図３の無線タグに保護層が設けられていない状態を説明する図であり、図６に対応するものである。
【図８】図４の無線タグのアンテナに備えられた給電ミアンダライン部の構成を詳しく説明する図である。
【図９】図４の無線タグのアンテナに備えられた無給電ミアンダライン部の構成を詳しく説明する図である。
【図１０】図４の無線タグに備えられた本第１発明の一実施例であるアンテナの構成を詳しく説明する図である。
【図１１】図１０のアンテナとの比較のために、対比のために延長部を有しない給電ミアンダライン部及び無給電ミアンダライン部から成るアンテナを例示すると共に、その使用時における電流密度分布を説明する図である。
【図１２】図１０のアンテナに設けられた延長部及びその延長部に対応する欠落を説明する図である。
【図１３】図４の無線タグのアンテナの入力インピーダンスについて説明する図であり、共振周波数を示す曲線を実線で、抵抗（放射抵抗）に対応する曲線を破線でそれぞれ示している。
【図１４】図４の無線タグのアンテナに設けられた延長部の長さ寸法に応じた第２共振周波数の変化を例示するグラフである。
【図１５】図３の無線タグ回路素子との通信に用いられるコマンドを例示する図である。
【図１６】図２の無線タグ通信装置にて作成されるコマンドフレーム構造を詳しく説明する図である。
【図１７】図１６のコマンドフレームの構成要素である０信号及び１信号について説明する図である。
【図１８】図３の無線タグ回路素子からのリプライ信号の作成に用いられる０信号及び１信号について説明する図である。
【図１９】図３の無線タグ回路素子に固有のＩＤを示す信号を例示する図である。
【図２０】図３の無線タグ回路素子のメモリ構成を示す図である。
【図２１】図３の無線タグ回路素子において「SCROLL ID」コマンドを含む信号が受信された場合に返信される「SCROLL ID Reply」について説明する図である。
【図２２】図３のメモリ部に記憶された情報の一部である「LEN」に続く情報が抽出される様子を説明する図である。
【図２３】図１７の「SCROLL ID Reply」について詳しく説明する図である。
【図２４】図２の無線タグ通信装置が通信範囲内の無線タグを識別する動作を行った際に考えられる無線タグからの返信状態を例示する図である。
【図２５】図２の無線タグ通信装置が通信範囲内の無線タグを識別する動作を行った際に考えられる無線タグからの返信状態を例示する図である。
【図２６】本第１発明の他の実施例であるアンテナの構成を説明する平面図である。
【図２７】本第１発明の更に別の実施例であるアンテナの構成を説明する平面図である。
【図２８】本第２発明の他の実施例である無線タグの構成を説明する平面図である。
【図２９】図２８のXXIX-XXIX視断面図である。
【図３０】本第２発明の更に別の実施例である無線タグの構成を説明する平面図である。
【符号の説明】
【００５６】
１２、１０４、１０８：無線タグ
５２、１００、１０２、１０６、１１０：アンテナ
５４：ＩＣ回路部
６８：基材（フィルム状部材）
７２：給電ミアンダライン部
７２ｅ、７４ｅ、７２ｅ′、７４ｅ′、７２ｅ″、７４ｅ″：延長部
７４：無給電ミアンダライン部
７６、８０：幅方向導体部
７８、８２、８４：長手方向導体部
ＥＳ：給電部
【図１】
2008211669.tif 000003
【図２】
2008211669.tif 000004
【図３】
2008211669.tif 000005
【図４】
2008211669.tif 000006
【図５】
2008211669.tif 000007
【図６】
2008211669.tif 000008
【図７】
2008211669.tif 000009
【図８】
2008211669.tif 000010
【図９】
2008211669.tif 000011
【図１０】
2008211669.tif 000012
【図１１】
2008211669.tif 000013
【図１２】
2008211669.tif 000014
【図１３】
2008211669.tif 000015
【図１４】
2008211669.tif 000016
【図１５】
2008211669.tif 000017
【図１６】
2008211669.tif 000018
【図１７】
2008211669.tif 000019
【図１８】
2008211669.tif 000020
【図１９】
2008211669.tif 000021
【図２０】
2008211669.tif 000022
【図２１】
2008211669.tif 000023
【図２２】
2008211669.tif 000024
【図２３】
2008211669.tif 000025
【図２４】
2008211669.tif 000026
【図２５】
2008211669.tif 000027
【図２６】
2008211669.tif 000028
【図２７】
2008211669.tif 000029
【図２８】
2008211669.tif 000030
【図２９】
2008211669.tif 000031
【図３０】
2008211669.tif 000032